(57)【特許請求の範囲】
【請求項１】
運転台（１１）の側方に配置したフィーダハウス（１８）内の粉塵を、吸排塵ファン（２６）により防塵フード（２５）を通して外部へ排出するようにしたコンバインの刈取装置において、
防塵フード（２５）は、上記吸排塵ファン（２６）を内設する上面フード（２３）と、同上面フード（２３）と連通する側面フード（２４）とを具備し、
上面フード（２３）は、フィーダハウス（１８）の上面に開設した吸塵口（２８）を介してフィーダハウス（１８）内と連通させると共に、側面フード（２４）は、フィーダハウス（１８）の一側面でかつ運転台（１１）に設けた運転席（１２）の作業者側と反対の側面に配置し、フィーダハウス（１８）内の粉塵を吸排塵ファン（２６）により吸引して、上面フード（２３）と側面フード（２４）とを通してフィーダハウス（１８）の一側下方に排出させるようにしたことを特徴とするコンバインの刈取装置。
【発明の詳細な説明】
【技術分野】
【０００１】
本発明は例えば稲または麦または大豆などを収穫するコンバインの刈取装置に関する。  
【背景技術】
【０００２】
従来、穀物ヘッダで刈取った穀稈をフィーダハウスを介して脱穀部に供給するコンバインがある。（例えば、特許文献1参照）
【０００３】
【特許文献１】実開昭６０−１６８３２８号公報
【発明の開示】
【発明が解決しようとする課題】
【０００４】
前記従来技術は、穀稈刈取作業時に穀物ヘッダで発生する粉塵が運転席の作業者に飛散し易い不具合があると共に、収穫作業途中で圃場枕地に到達し、次工程位置に方向転換するとき、刈取部を上昇させて持上げることにより、吸排塵ファンが高位置に支持されて高所に排塵が放出される不具合がある等の作業上の問題がある。
【課題を解決するための手段】
【０００５】
そこで、本発明では、運転台（１１）の側方に配置したフィーダハウス（１８）内の粉塵を、吸排塵ファン（２６）により防塵フード（２５）を通して外部へ排出するようにしたコンバインの刈取装置において、防塵フード（２５）は、上記吸排塵ファン（２６）を内設する上面フード（２３）と、同上面フード（２３）と連通する側面フード（２４）とを具備し、上面フード（２３）は、フィーダハウス（１８）の上面に開設した吸塵口（２８）を介してフィーダハウス（１８）内と連通させると共に、側面フード（２４）は、フィーダハウス（１８）の一側面でかつ運転台（１１）に設けた運転席（１２）の作業者側と反対の側面に配置し、フィーダハウス（１８）内の粉塵を吸排塵ファン（２６）により吸引して、上面フード（２３）と側面フード（２４）とを通してフィーダハウス（１８）の一側下方に排出させるようにしたことを特徴とするコンバインの刈取装置を提供するものである。
【発明の効果】
【０００７】
本発明では、運転台（１１）の側方に配置したフィーダハウス（１８）内の粉塵を、吸排塵ファン（２６）により防塵フード（２５）を通して外部へ排出するようにしたコンバインの刈取装置において、防塵フード（２５）は、上記吸排塵ファン（２６）を内設する上面フード（２３）と、同上面フード（２３）と連通する側面フード（２４）とを具備し、上面フード（２３）は、フィーダハウス（１８）の上面に開設した吸塵口（２８）を介してフィーダハウス（１８）内と連通させると共に、側面フード（２４）は、フィーダハウス（１８）の一側面でかつ運転台（１１）に設けた運転席（１２）の作業者側と反対の側面に配置し、フィーダハウス（１８）内の粉塵を吸排塵ファン（２６）により吸引して、上面フード（２３）と側面フード（２４）とを通してフィーダハウス（１８）の一側下方に排出させるようにした。したがって、穀物ヘッダ（１７）で発生する粉塵が運転席（１２）の作業者方向に飛散するのを防ぐと共に、フィーダハウス（１８）から脱穀部（４）に搬入される粉塵量を低減させることができる。
【発明を実施するための最良の形態】
【０００８】
以下、本発明の実施例を図面に基づいて詳述する。図１は要部の断面図、図２は全体の側面図、図３は同平面図であり、図中（１）は走行クローラ（２）を有するトラックフレーム（３）に装備する機台、（４）は扱胴（５）及び選別機構（６）を備えていて前記機台（１）に搭載する脱穀部、（７）は揚穀筒（８）を介して取出す脱穀部（４）の穀粒を溜める穀物タンク、（９）は前記脱穀部（４）の下部前方に油圧シリンダ（１０）を介して昇降可能に装設する刈取部、（１１）は運転席（１２）及び運転操作部（１３）を備えていて前記穀物タンク（７）の前方に固設させる運転台、（１４）は前記穀物タンク（７）の後方に備えていてエンジン（１５）を内設するエンジン室、（１６）は前記穀物タンク（７）内の穀粒を取出す穀粒搬出オーガである。
【０００９】
また、前記刈取部（９）は、未刈り穀稈を取入れる穀物ヘッダ（１７）と、該ヘッダ（１７）の後部略中央に連結させて刈取り穀稈を脱穀部（４）に送給するフィーダハウス（１８）によって構成すると共に、未刈り穀稈掻込み用リール（１９）及び往復駆動型刈刃（２０）及びプラットホームオーガ（２１）とを前記穀物ヘッダ（１７）に備え、前記ヘッダ（１７）に取込まれる刈取穀稈をフィーダハウス（１８）に内設する供給チェンコンベア（２２）により脱穀部（４）に供給して脱穀処理するように構成している。ここで、フィーダハウス（１８）は、運転台（１１）の左側方に配設している。
【００１０】
さらに、図１、図４、図５、図６、図７に示す如く、Ｌ形に連設させる上面フード（２３）及び側面フード（２４）により防塵フード（２５）を形成し、防塵フード（２５）に吸排塵ファン（２６）を内設させると共に、前記フィーダハウス（１８）の上面及び左側面に防塵フード（２５）を取付け、また前記穀物ヘッダ（１７）の後側上面で左右幅方向に吸塵ガイド板（２７）を固設させ、プラットホームオーガ（２１）の上面後側を前記ガイド板（２７）で覆うもので、フィーダハウス（１８）上面に吸排塵ファン（２６）を設け、運転席（１２）の作業者から離れた位置、即ち作業者側と反対のフィーダハウス（１８）左側で下方に、穀物ヘッダ（１７）に発生する粉塵を前記ファン（２６）により吸引排出させるように構成している。
【００１１】
また、前記フィーダハウス（１８）上面に吸塵口（２８）を開設し、吸塵口（２８）に防塵網（２９）を張設固定させると共に、前記ファン（２６）及び電動モータ（３０）を送風ガイド板（３１）を介して上面フード（２３）内部に固定させ、吸塵口（２８）に前記ファン（２６）を対向配置させるもので、フィーダハウス（１８）上面に蝶番（３２）を介して上面フード（２３）前側を連結させ、上面フード（２３）後側をボルト（３３）によりフィーダハウス（１８）上面に固定させ、蝶番（３２）を支点に上面フード（２３）を前方に開放自在に取付けると共に、フィーダハウス（１８）と上面フード（２３）間の隙間を塞ぐシール材（３４）を上面フード（２３）に設け、前記ファン（２６）の吸塵側下方に略水平に防塵網（２９）を取付けて吸塵口（２８）を閉塞し、フィーダハウス（１８）内部の稈または穀粒がファン（２６）に吸込まれるのを防塵網（２９）によって防ぐように構成している。
【００１２】
また、図５の如く、フィーダハウス（１８）左側面に蝶番（３５）を介して側面フード（２４）後側を連結させ、ブラケット（３６）及びボルト（３７）により側面フード（２４）前側をフィーダハウス（１８）左側面に固定させ、蝶番（３５）を支点に側面フード（２４）を開放自在に取付けると共に、図７に示す如く、上面フード（２３）と側面フード（２４）間の接合部の隙間を塞ぐシール材（３８）を側面フード（２４）に設けている。
【００１３】
そして、稲または大豆などの収穫作業時、刈刃（２０）によって刈取られた穀稈がプラットホームオーガ（２１）によってフィーダハウス（１８）前側に送り込まれ、フィーダハウス（１８）底面を介してチェンコンベア（２２）により脱穀部（４）に穀稈が供給されると共に、収穫作業時、プラットホームオーガ（２１）とフィーダハウス（１８）間の穀稈受継部で粉塵が特に多く発生するが、穀物ヘッダ（１７）及びフィーダハウス（１８）の粉塵が吸排塵ファン（２６）により集塵され、フィーダハウス（１８）上面から外側の上面及び側面フード（２３）（２４）を介してフィーダハウス（１８）左側下方に粉塵が排出されるもので、穀物ヘッダ（１７）で発生する粉塵が運転席（１２）の作業者方向に飛散するのを防ぐと共に、フィーダハウス（１８）から脱穀部（４）に搬入される粉塵量を低減させるように構成している。
【００１４】
さらに、図８に示す如く、運転操作部（１３）の刈取クラッチレバー（３９）の刈取クラッチ入操作と連動してオンになる刈取スイッチ（４０）と、運転操作部（１３）に配設する手動スイッチ（４１）と、図４に示すようにフィーダハウス（１８）の上昇によってオフになって刈取部（９）上昇による刈取中止を検出する停止スイッチ（４２）とを設けるもので、並列接続させる刈取及び手動スイッチ（４０）（４１）に対し停止スイッチ（４２）を直列接続させ、各スイッチ（４０）（４１）（４２）を介して前記電動モータ（３０）に電源バッテリ（４３）を接続させ、前記刈取または手動スイッチ（４０）（４１）のいずれかがオンで、刈取部（９）を下降させて停止スイッチ（４２）をオン維持しているとき、前記モータ（３０）によって吸排塵ファン（２６）が駆動されると共に、枕地での方向転換など刈取部（９）を上昇させて停止スイッチ（４２）をオフにしたとき、また刈取クラッチレバー（３９）により刈取クラッチを切にして刈取部（９）を停止させ、スイッチ（４０）（４１）がオフになったとき、前記モータ（３０）をオフにして吸排塵ファン（２６）を停止させ、防塵網（２９）下面に付着している長稈を自重で落下させ、網（２９）目の詰りを防ぐように構成している。
【００１５】
上記から明らかなように、脱穀部（４）前側にフィーダハウス（１８）を介して穀物ヘッダ（１７）を昇降自在に装設させ、掻込用リール（１９）及び刈刃（２０）及びプラットホームオーガ（２１）を穀物ヘッダ（１７）に設けると共に、運転席（１２）を備える運転台（１１）を設け、またフィーダハウス（１８）から内部の粉塵を取出す吸排塵ファン（２６）を設けるコンバインにおいて、フィーダハウス（１８）右側部に運転台（１１）を配設させ、前記吸排塵ファン（２６）を内設させる排塵カバーである上面フード（２３）の排塵吹出口をフィーダハウス（１８）左側面下向きに開口させると共に、吸排塵ファン（２６）の吸込面をフィーダハウス（１８）上面の吸塵口（２８）に対向させ、稈などの吸込みを防ぐ網体である防塵網（２９）を吸塵口（２８）に設けたもので、穀物ヘッダ（１７）の左右幅中央にフィーダハウス（１８）を配置させ、穀物ヘッダ（１７）後面と脱穀部（４）前面とで前後を閉塞しかつフィーダハウス（１８）左側面と隣接の未刈り穀稈とで左右を閉塞する空間で下向き粉塵を排出させ、風などの影響を受けることなく既刈り圃場面に粉塵を放出させ、吸排塵（２６）によって吸引排出された粉塵がプラットホームオーガ（２１）からフィーダハウス（１８）に再び取込まれる不具合をなくすと共に、フィーダハウス（１８）上面外側でフィーダハウス（１８）左右幅と略等しい最大外外径を形成可能に吸排塵ファン（２６）を設置させ、フィーダハウス（１８）の上下幅を刈取り穀物の搬送に必要な最小寸法に形成し、かつ吸排塵ファン（２６）の大径化及び回転低下などを行い、フィーダハウス（１８）の吸排塵効率の向上並びに吸塵口（２８）の吸引圧力低下などを行い、桿または莢などの吸引を防止しかつ土砂粉塵の吸引力を確保し、穀稈または穀粒の吸込み防止並びに排塵能力の向上などを図る。
【００１６】
さらに、図９は変形例を示すもので、吸排塵ファン（２６）をシロッコファンにより形成することも容易に行えると共に、上面フード（２３）に代え、側面フード（２４）に吸排塵ファン（２６）を内設させることも容易に行えるものである。
【図面の簡単な説明】
【００１７】
【図１】吸排塵ファン部の拡大側面図。
【図２】全体の側面図。
【図３】同平面図。
【図４】刈取部の側面図。
【図５】吸排塵ファン部の平面図。
【図６】同側面図。
【図７】同正面図。
【図８】電気回路図。
【図９】変形例を示す正面図。
【符号の説明】
【００１８】
４      脱穀部
１１    運転台
１２    運転席
１７    穀物ヘッダ
１８    フィーダハウス
１９    掻込用リール
２０    刈刃
２１    プラットホーム
２３    上面フード（排塵カバー）
２６    吸排塵ファン
２８    吸塵口
２９    網体（防塵網）
３２    蝶番（ヒンジ）
３３    ボルト
【図１】
0003676356.tif 000002
【図２】
0003676356.tif 000003
【図３】
0003676356.tif 000004
【図４】
0003676356.tif 000005
【図５】
0003676356.tif 000006
【図６】
0003676356.tif 000007
【図７】
0003676356.tif 000008
【図８】
0003676356.tif 000009
【図９】
0003676356.tif 000010